(57)【要約】【課題】リラクタンストルクを利用でき、かつ、ロータの強度を高めて、回転電機としての高回転化を可能とするアキシャルギャップ型回転電機のロータ構造を提供する。【解決手段】外環部９とその内周側に位置する内環部１０と前記外環部９と内環部１０を連結する半径方向に延びる複数の柱状部１１とからなり、台形もしくは扇形の穴が周方向に複数箇所設けられた、一体物の非磁性体からなるロータリング１２を具え、前記柱状部１１の周方向両側に複数の台形もしくは扇形の磁性体からなるロータコア１３を接合するとともに、前記ロータコア１３と前記外環部９および内環部１０とにより構成される複数の台形もしくは扇形の穴に複数の台形もしくは扇形の永久磁石１４を接合してなるアキシャルギャップ型回転電機のロータ構造。【選択図】図２
2006166633.tif 000002
【特許請求の範囲】
【請求項１】
外環部とその内周側に位置する内環部と前記外環部と内環部を連結する半径方向に延びる複数の柱状部とからなり、台形もしくは扇形の穴が周方向に複数箇所設けられた、一体物の非磁性体からなるロータリングを具え、前記柱状部の周方向両側に複数の台形もしくは扇形の磁性体からなるロータコアを接合するとともに、前記ロータコアと前記外環部および内環部とにより構成される複数の台形もしくは扇形の穴に複数の台形もしくは扇形の永久磁石を接合してなるアキシャルギャップ型回転電機のロータ構造。
【請求項２】
外環部とその内周側に位置する内環部と前記外環部と内環部を連結する半径方向に延びる複数の柱状部とからなり、台形もしくは扇形の穴が周方向に複数箇所設けられた、一体物の非磁性体からなるロータリングを具え、前記柱状部の周方向両側に複数の直方体状の磁性体からなるロータコアを接合するとともに、前記ロータコアと前記外環部および内環部とにより構成される複数の台形もしくは扇形の穴に複数の台形もしくは扇形の永久磁石を接合してなるアキシャルギャップ型回転電機のロータ構造。
【請求項３】
外環部とその内周側に位置する内環部と前記外環部と内環部を連結する半径方向に延びる複数の柱状部とからなり、台形もしくは扇形の穴が周方向に複数箇所設けられた、一体物の非磁性体からなるロータリングを具え、前記複数の穴のうち周方向に一つとびに位置する穴に複数の台形もしくは扇形の磁性体からなるロータコアを接合するとともに、前記複数の穴のうち、前記一つとびの穴以外の穴に複数の台形もしくは扇形の永久磁石を接合してなるアキシャルギャップ型回転電機のロータ構造。
【請求項４】
前記ロータコアと前記外環部との間に狭小の隙間を設けてなる請求項１もしくは２に記載のアキシャルギャップ型回転電機のロータ構造。
【請求項５】
前記ロータコアの外周側部分の周方向長さを内周側から外周側に向けて拡大させてなる請求項４に記載のアキシャルギャップ型回転電機のロータ構造。
【発明の詳細な説明】
【技術分野】
【０００１】
本発明は、回転軸に沿ってステータとディスク状のロータとが対向して配置されるアキシャルギャップ型回転電機のロータ構造に関するものである。
【背景技術】
【０００２】
一般に回転軸に沿ってステータとディスク状のロータとが対向して配置されるアキシャルギャップ型回転電機においては、例えば特許文献１に記載されているような、円盤状のロータヨークに、複数の扇形状の永久磁石を周方向に相互に極性を異ならせて隙間なく並べて、その背面側を接合する形態のものがあるが、この形態のアキシャルギャップ型回転電機ではロータに磁性体よりなる部分がないためリラクタンストルクが利用できず、回転電機としてのトルクを向上できないという問題点があった。ここで背面側とは永久磁石のロータに対向する側とは逆側という。
【０００３】
そこで、リラクタンストルクを利用するために、図８に示すような、磁性体からなるロータコアと扇形状の永久磁石を、周方向に交互に並べた形態のロータが考えられる。当該ロータ５１は、非磁性体よりなる円環状の内環部５２、扇形の磁性体からなるロータコア５３、扇形の永久磁石５４および非磁性体よりなる円環状の外環部５５を組み合わせてなるものであって、磁性体部５３および磁石部５４を周方向に交互に並べて、それらの内周側に内環部５２を接合し、外周側に外環部５５を接合してなるものである。
なお、図８（ａ）はロータの中心軸線方向から見た部分矢視図を示し、図８（ｂ）は図８（ａ）におけるＯＸ、ＯＹ断面を示し、図８（ｃ）は図８（ａ）におけるＡＢ断面を示す。
【０００４】
このような形態のロータ５１によれば、特許文献１に示した形態のロータに比べて、リラクタンストルクの利用を可能とすることができるとともに、永久磁石の背面側にロータヨークを設ける必要がないため、ステータを、ロータを挟んで対向するように一対設けて回転電機を構成することを容易とすることができる。
【特許文献１】特開２００１−３３９９１６号公報
【発明の開示】
【発明が解決しようとする課題】
【０００５】
ところが、このような形態のロータ５１では、非磁性体よりなる内環部５２、扇形の磁性体からなるロータコア５３、扇形の永久磁石５４および非磁性体よりなる外環部５５が相互に組み合わされて接合されているため、ロータ全体としての強度が低く、ロータひいては回転電機としての高回転化が困難であった。
【０００６】
本発明は上述したところの課題を解決することを目的とするものであり、その目的は、リラクタンストルクを利用でき、かつ、ロータの強度を高めて、回転電機としての高回転化を可能とするアキシャルギャップ型回転電機のロータ構造を提供することにある。
【課題を解決するための手段】
【０００７】
請求項１に係るアキシャルギャップ型回転電機のロータ構造は、外環部とその内周側に位置する内環部と前記外環部と内環部を連結する半径方向に延びる複数の柱状部とからなり、台形もしくは扇形の穴が周方向に複数箇所設けられた、一体物の非磁性体からなるロータリングを具え、前記柱状部の周方向両側に複数の台形もしくは扇形の磁性体からなるロータコアを接合するとともに、前記ロータコアと前記外環部および内環部とにより構成される複数の台形もしくは扇形の穴に複数の台形もしくは扇形の永久磁石を接合してなることを特徴とする。
【発明の効果】
【０００８】
請求項１に係るアキシャルギャップ型回転電機のロータ構造によれば、ロータリングの柱状部の周方向両側に複数の台形もしくは扇形の磁性体よりなるロータコアを接合することにより、リラクタンストルクを利用して回転電機としてのトルクを向上できるとともに、外環部、内環部および柱状部を、一体物の非磁性体からなるロータリングとして構成することにより、図８に示したロータのように、内環部および外環部をロータコアおよび永久磁石を介して接合してロータを構成することに比べて、ロータリングに接合部分をなくしてロータリングそのものの剛性を高め、かつ、ロータリングによるロータコアおよび永久磁石の支持剛性を高めることにより、ロータの強度を高めることができる。これにより、ロータひいては回転電機の高回転化を可能とすることができる。
【発明を実施するための最良の形態】
【０００９】
以下、本発明の実施の形態を図面に基づいて説明する。
図１は本発明に係るアキシャルギャップ型回転電機のロータ構造が適用されるアキシャルギャップ型回転電機の構造を示す略式断面図であり、図２は、本発明に係るアキシャルギャップ型回転電機のロータ構造の一実施形態を示す模式図である。図２（ａ）は、ロータの中心軸線方向矢視を示し、図２（ｂ）は図２（ａ）における半径方向ＯＸ、ＯＹにおける断面を示し、図２（ｃ）は図２（ａ）における周方向ＡＢの断面を示す。
【００１０】
このアキシャルギャップ型回転電機のロータ構造は、図１に示すように、回転軸１に連結されたロータ２と、ロータ２にロータ２の中心軸線に沿って対向して配置され、電磁鋼板を積層してなる複数のステータティース３を周方向に等間隔に並べて配置して、当該複数のステータティース３を、電磁鋼板を積層してなるステータバックコア４に設けた嵌合穴に嵌合固定して、それぞれのステータティース３にコイル５を巻装してなるステータ６と、ステータ６を固定するとともに回転軸１を軸受７を介して回転自在に支持するケース８とからなるアキシャルギャップ型回転電機に適用される。
【００１１】
図２に示すように、このアキシャルギャップ型回転電機のロータ構造は、外環部９とその内周側に同一中心軸線上に位置する内環部１０と外環部９と内環部１０を連結する半径方向に延びる複数の柱状部１１とからなり、台形もしくは扇形の穴が周方向に複数箇所設けられた、一体物の非磁性体からなるロータリング１２を具え、柱状部１１の周方向両側に複数の台形もしくは扇形の、ここでは扇形の磁性体からなるロータコア１３を接合するとともに、ロータコア１３と外環部９および内環部１０とにより構成される複数の台形もしくは扇形の穴に複数の台形もしくは扇形の永久磁石１４を接合してなることを特徴とする。（請求項１に相当）ここで一体物の非磁性体からなるロータリングとは、例えばＳＵＳ等の非磁性体よりなる母材をプレス成形、削り出し等の方法により加工して、ロウ付け、接着剤、溶接等による接合部なしで構成されたものを言うものとする。
【００１２】
これによれば、ロータリング１２の柱状部１１の周方向両側に複数の台形もしくは扇形の磁性体よりなるロータコア１３を接合することにより、リラクタンストルクを利用して回転電機としてのトルクを向上できる。これとともに、外環部９、内環部１０および柱状部１１を、一体物の非磁性体からなるロータリング１２として構成することにより、図８に示したロータのように、内環部および外環部をロータコアおよび永久磁石を介して接合してロータを構成することに比べて、ロータリング１２に接合部分をなくしてロータリング１２そのものの剛性を高め、かつ、ロータリング１２によるロータコア１３および永久磁石１４の支持剛性を高めて、ロータ２の強度を高めることができる。これにより、ロータ２ひいては回転電機の高回転化を可能とすることができる。
【００１３】
なお、図１に示す形態のアキシャルギャップ型回転電機では、ステータ６はロータ２を挟んで対向するように一対設けられ、ケース９には冷却路１５が設けられ、ステータティース３およびコイル５の損失による発熱を吸収し冷却するための冷却液が循環される。さらに回転軸１の端部にはロータ２の回転量や位置を検出するための、エンコーダ１６が設けられる。
また、電磁鋼板または圧粉材よりなるロータコア１３を柱状部１１に接合するにあたっては、ロウ付け、接着剤等の方法が用いられ、ロータコア１３が圧粉材により形成される場合には、焼結により、含有される金属粉を拡散結合させて接合することも可能である。
【００１４】
また、図２に示すロータリング１２の柱状部１１の外周側部分は、内周側から外周側に向けてその周方向長さを長くするようテーパ状に形成され、柱状部１１の外環部９への接続部分となる外周側部分の剛性を高めて、当該外周側部分の応力集中を緩和し、ロータリング１２自身の剛性ひいては、ロータリング１２のロータコア１３および永久磁石１４の支持剛性をさらに高めている。同様に、柱状部１１の内周側部分も、外周側から内周側に向けて、その周方向長さを長くするようテーパ状に形成され、柱状部１１の内環部１０への接続部分となる内周側部分の剛性を高めて、当該内周側部分の応力集中を緩和し、ロータリング１２自身の剛性ひいては、ロータリング１２のロータコア１３および永久磁石１４の支持剛性をさらに高めている。
これに伴い、ロータコア１３の柱状部１１に面する側の形状は、内周側および外周側において面取りされた形状となる。
【００１５】
図３は、本発明に係るアキシャルギャップ型回転電機のロータ構造の一実施形態を示す模式図である。図３（ａ）は、ロータの中心軸線方向矢視を示し、図３（ｂ）は図３（ａ）における半径方向ＯＸ、ＯＹにおける断面を示し、図３（ｃ）は図３（ａ）における周方向ＡＢの断面を示す。
このアキシャルギャップ型回転電機のロータ構造は、図１に示すアキシャルギャップ型回転電機に適用されるロータ構造において、
図３に示すように、外環部９とその内周側に同一中心軸線上に位置する内環部１０と外環部９と内環部１０を連結する半径方向に延びる複数の柱状部１１とからなり、台形もしくは扇形の穴が周方向に複数箇所設けられた、一体物の非磁性体からなるロータリング１２を具え、柱状部１１の周方向両側に複数の直方体状の、ここでは扇形の磁性体からなるロータコア１３を接合するとともに、ロータコア１３と外環部９および内環部１０とにより構成される複数の台形もしくは扇形の穴に複数の台形もしくは扇形の永久磁石１４を接合してなることを特徴とする。（請求項２に相当）
【００１６】
これによっても、請求項１に相当する構成と同様に、ロータリング１２の柱状部１１の周方向両側に複数の台形もしくは扇形の磁性体よりなるロータコア１３を接合することにより、リラクタンストルクを利用して回転電機としてのトルクを向上できる。これとともに、外環部９、内環部１０および柱状部１１を、一体物の非磁性体からなるロータリング１２として構成することにより、図８に示したロータのように、内環部および外環部をロータコアおよび永久磁石を介して接合してロータを構成することに比べて、ロータリング１２に接合部分をなくしてロータリング１２そのものの剛性を高め、かつ、ロータリング１２によるロータコア１３および永久磁石１４の支持剛性を高めて、ロータ２の強度を高めることができる。これにより、ロータ２ひいては回転電機の高回転化を可能とすることができる。
【００１７】
なおここで、ロータコア１３を直方体状とすることで、請求項１に相当する構成における台形もしくは扇形のロータコアとすることに比して、ロータコア１３の製造コストを低減することができるとともに、ロータ全体ひいては回転電機全体の製造コストを低減することができる。
【００１８】
図４は、本発明に係るアキシャルギャップ型回転電機のロータ構造の他の実施形態を示す模式図である。図４（ａ）は、ロータの中心軸線方向矢視を示し、図４（ｂ）は図４（ａ）における半径方向ＯＸ、ＯＹにおける断面を示し、図４（ｃ）は図４（ａ）における周方向ＡＢの断面を示す。
このアキシャルギャップ型回転電機のロータ構造は、図１に示すアキシャルギャップ型回転電機に適用されるロータ構造において、
図４に示すように、外環部９とその内周側に同一中心軸線上に位置する内環部１０と外環部９と内環部１０を連結する半径方向に延びる複数の柱状部１１とからなり、台形もしくは扇形の穴が周方向に複数箇所設けられた、一体物の非磁性体からなるロータリング１２を具え、柱状部１１の周方向両側に複数の台形もしくは扇形の、ここでは扇形の磁性体からなるロータコア１３を接合するとともに、ロータコア１３と外環部９および内環部１０とにより構成される複数の台形もしくは扇形の穴に複数の台形もしくは扇形の永久磁石１４を接合してなることを特徴とする。（請求項１に相当）
【００１９】
また、図４に示すロータリング１２の柱状部１１の外周側部分は、内周側から外周側に向けてその周方向長さおよび中心軸線方向長さを長くするよう四方向にテーパ状に形成され、柱状部１１の外環部９への接続部分となる外周側部分の剛性を高めて、当該外周側部分の応力集中を緩和し、ロータリング１２自身の剛性ひいては、ロータリング１２のロータコア１３および永久磁石１４の支持剛性をさらに高めている。同様に、柱状部１１の内周側部分も、外周側から内周側に向けて、その周方向長さおよび中心軸線方向を長くするよう四方向にテーパ状に形成され、柱状部１１の内環部１０への接続部分となる内周側部分の剛性を高めて、当該内周側部分の応力集中を緩和し、ロータリング１２自身の剛性ひいては、ロータリング１２のロータコア１３および永久磁石１４の支持剛性をさらに高めている。
ここで周方向および中心軸線方向とは、ロータの周方向および中心軸線方向に沿った方向を示すものとする。
なお、柱状部１１はロータコア１２に外包される形態のため、図４（ａ）では図示されない。
【００２０】
これに伴い、ロータコア１３は柱状部１１を外から包み込む半径方向に延びる四角形状の穴を設けた中空形状に形成され、当該四角形状の穴は、ロータコア１３の外周側部分において、外周側に向かうに従い、周方向長さおよび中心軸線方向長さが長くなるように四方向にテーパ状に形成されるとともに、ロータコア１３の内周側部分において、内周側に向かうに従い、周方向長さおよび中心軸線方向長さが長くなるように四方向にテーパ状に形成される。なお、ここでは図示しないが、電磁鋼板または圧粉材により形成されるロータコア１３は、ロータリング１２の柱状部１１に外から包み込むように接合してロータを組み立てる便宜を図るため、複数個に分割されて形成される。
【００２１】
これによれば、ロータリング１２の柱状部１１の周方向両側に複数の台形もしくは扇形の磁性体よりなるロータコア１３を接合することにより、リラクタンストルクを利用して回転電機としてのトルクを向上できる。さらに、図２に示した形態のロータに比して、磁性体よりなるロータコア１３を周方向に長く形成でき、その体積を増やすことができるため、リラクタンストルクをより高めることができる。これとともに、外環部９、内環部１０および柱状部１１を、一体物の非磁性体からなるロータリング１２として構成することにより、図８に示したロータのように、内環部および外環部をロータコアおよび永久磁石を介して接合してロータを構成することに比べて、ロータリング１２に接合部分をなくしてロータリング１２そのものの剛性を高め、かつ、ロータリング１２によるロータコア１３および永久磁石１４の支持剛性を高めて、ロータ２の強度を高めることができる。これにより、ロータ２ひいては回転電機の高回転化を可能とすることができる。
【００２２】
図５は、本発明に係るアキシャルギャップ型回転電機のロータ構造の他の実施形態を示す模式図である。図５（ａ）は、ロータの中心軸線方向矢視を示し、図５（ｂ）は図５（ａ）における半径方向ＯＸ、ＯＹにおける断面を示し、図５（ｃ）は図５（ａ）における周方向ＡＢの断面を示す。
【００２３】
このアキシャルギャップ型回転電機のロータ構造は、図１に示すアキシャルギャップ型回転電機に適用されるロータ構造において、
外環部９とその内周側に同一中心軸線上に位置する内環部１０と外環部９と内環部１０を連結する半径方向に延びる複数の柱状部１１とからなり、台形もしくは扇形の穴が周方向に複数箇所設けられた、一体物の非磁性体からなるロータリング１２を具え、前記複数の穴のうち周方向に一つとびに位置する穴に複数の台形もしくは扇形の磁性体からなるロータコア１３を接合するとともに、前記複数の穴のうち、前記一つとびの穴以外の穴に複数の台形もしくは扇形の永久磁石１４を接合してなることを特徴とする。（請求項３に相当）
【００２４】
これによれば、請求項１および請求項２に相当する構成と同様に、ロータリング１２の柱状部１１の周方向両側に複数の台形もしくは扇形の磁性体よりなるロータコア１３を接合することにより、リラクタンストルクを利用して回転電機としてのトルクを向上できる。これとともに、外環部９、内環部１０および柱状部１１を、一体物の非磁性体からなるロータリング１２として構成することにより、図８に示したロータのように、内環部および外環部をロータコアおよび永久磁石を介して接合してロータを構成することに比べて、ロータリング１２に接合部分をなくしてロータリング１２そのものの剛性を高め、かつ、ロータリング１２によるロータコア１３および永久磁石１４の支持剛性を高めて、ロータ２の強度を高めることができる。これにより、ロータ２ひいては回転電機の高回転化を可能とすることができる。
【００２５】
さらに、ロータコア１３と永久磁石１４との間に、非磁性体であるロータリング１２の柱状部１１を介在させることにより、当該柱状部１１がその低い透磁率に起因して、いわゆるフラックスバリア、言い換えればスリットの役割を果たして、永久磁石１４からロータコア１３への漏れ磁束を防ぎ、回転電機としての効率を高めることができる。
【００２６】
ここで、柱状部１１は周方向に交互に長い間隔と短い間隔をおいて設けられ、長い間隔をおいて設けた隣接する柱状部１１により形成される穴に、永久磁石１４を接合し、短い間隔をおいて設けた隣接する柱状部１１により形成される穴に磁性体よりなるロータコア１３を接合している。
このように、ロータリング１２の柱状部１１を、一つとびに近接させて二重ブリッジ状に設けることにより、ロータリング１２自体の剛性を高め、ロータリング１２によるロータコア１３および永久磁石１４の支持剛性をさらに高めて、ロータの剛性を高めることができる。
【００２７】
図６は、本発明に係るアキシャルギャップ型回転電機のロータ構造の他の実施形態を示す模式図である。図６（ａ）は、ロータの中心軸線方向矢視を示し、図６（ｂ）は図６（ａ）における半径方向ＯＸ、ＯＹにおける断面を示し、図６（ｃ）は図６（ａ）における周方向ＡＢの断面を示す。
【００２８】
このアキシャルギャップ型回転電機のロータ構造は、図１に示すアキシャルギャップ型回転電機に適用されるロータ構造において、
外環部９とその内周側に同一中心軸線上に位置する内環部１０と外環部９と内環部１０を連結する半径方向に延びる複数の柱状部１１とからなり、台形もしくは扇形の穴が周方向に複数箇所設けられた、一体物の非磁性体からなるロータリング１２を具え、前記複数の穴のうち周方向に一つとびに位置する穴に複数の台形もしくは扇形の磁性体からなるロータコア１３を接合するとともに、前記複数の穴のうち、前記一つとびの穴以外の穴に複数の台形もしくは扇形の永久磁石１４を接合してなることを特徴とする。（請求項３に相当）ここまでの構成は、図５に示したものと同様であり、その作用効果の説明は割愛する。ここではこれに加えて、図６（ｃ）に示すように、柱状部１１の永久磁石１４に面する側の中心軸線方向の中央部に、半径方向に延びて周方向にくぼむ凹部１８を設ける。
【００２９】
このように、柱状部１１の永久磁石１４に面する側に、周方向にくぼむ凹部１８を設けることにより、回転電機のステータを構成するコイルが励磁された場合に、ロータの周方向に膨らみながら湾曲してロータのロータコア１３を中心軸線方向に横切る磁束、つまりはリラクタンスループＬを、図６（ｃ）に示すように、非磁性体によりなる柱状部１１によりさえぎることをなるべく抑制することができ、これによってもリラクタンストルクを高めることができる。
【００３０】
図７は、本発明に係るアキシャルギャップ型回転電機のロータ構造の他の実施形態を示す模式図である。図７（ａ）は、ロータの中心軸線方向矢視を示し、図７（ｂ）は図７（ａ）における半径方向ＯＸ、ＯＹにおける断面を示し、図７（ｃ）は図７（ａ）における周方向ＡＢの断面を示す。
【００３１】
このアキシャルギャップ型回転電機のロータ構造は、図１に示すアキシャルギャップ型回転電機に適用されるロータ構造において、
図７に示すように、外環部９とその内周側に同一中心軸線上に位置する内環部１０と外環部９と内環部１０を連結する半径方向に延びる複数の柱状部１１とからなり、台形もしくは扇形の穴が周方向に複数箇所設けられた、一体物の非磁性体からなるロータリング１２を具え、柱状部１１の周方向両側に複数の台形もしくは扇形の、ここでは扇形の磁性体からなるロータコア１３を接合するとともに、ロータコア１３と外環部９および内環部１０とにより構成される複数の台形もしくは扇形の穴に複数の台形もしくは扇形の永久磁石１４を接合してなることを特徴とする。（請求項１に相当）
【００３２】
さらにロータコア１３と外環部９との間に狭小の隙間１７を設ける。（請求項４に相当）加えて、ロータコア１３の外周側部分の周方向長さを内周側から外周側に向けて拡大させるべく、テーパ状に形成する。（請求項５に相当）これに合わせて、永久磁石１４の外周側部分の周方向長さは、内周側から外周側に向けて縮小させる。
【００３３】
請求項１による作用効果は前述したので割愛する。
請求項４に相当する構成によれば、ロータコア１３とロータリング１２の外環部９との間に隙間１７を設けて、ロータコア１３と外環部９とを接触させないことができるため、回転電機の運転時にロータコア１３に作用する遠心力を、ロータ１３の柱状部１１の周方向側面および内環部１０により支持して、柱状部１１の外環部９との接続部分となる外周側部分に応力が集中することを防止して、図２〜６に示した構成のように、柱状部１１の内周側部分および外周側部分をテーパ形状とすることなく、ロータリング１２ひいてはロータ２の剛性を高めることができる。
【００３４】
請求項５に相当する構成によれば、回転電機の運転時に、永久磁石１４に遠心力が作用して、当該永久磁石１４が外周側に移動しようとしても、当該永久磁石１４の周方向両側に隣接して位置するロータコア１５のテーパ形状が、永久磁石１４に作用する内周側から外周側に向かう遠心力を、周方向両側に向かう力に変換して、永久磁石１４はその反作用により半径方向に強固に拘束されるため、これによっても、柱状部１１の外環部９との接続部分となる外周側部分に応力が集中することを回避することができる。
【００３５】
図１に示すアキシャルギャップ型回転電機において、コイル５を図示しないインバータにより励磁すると、ステータの周方向に回転磁界が形成され、周方向に交互に極性が異なる複数の永久磁石１４が埋設されたディスク状のロータ２は回転磁界に吸引反発されて回転磁界と同期速度で回転する。
【００３６】
なお、本発明は、上記実施の形態にのみ限定されるものではなく、幾多の変形または変更が可能である。
【産業上の利用可能性】
【００３７】
本発明は、アキシャルギャップ型回転電機の冷却構造に用いて好適なものである。
【図面の簡単な説明】
【００３８】
【図１】本発明に係るアキシャルギャップ型回転電機の一実施形態を示す、略式断面図である。
【図２】本発明に係るアキシャルギャップ型回転電機のロータ構造の一実施形態を示す、模式図である。
【図３】本発明に係るアキシャルギャップ型回転電機のロータ構造の他の実施形態を示す、模式図である。
【図４】本発明に係るアキシャルギャップ型回転電機のロータ構造のさらに他の実施形態を示す、模式図である。
【図５】本発明に係るアキシャルギャップ型回転電機のロータ構造のさらに他の実施形態を示す、模式図である。
【図６】本発明に係るアキシャルギャップ型回転電機のロータ構造のさらに他の実施形態を示す、模式図である。
【図７】本発明に係るアキシャルギャップ型回転電機のロータ構造のさらに他の実施形態を示す、模式図である。
【図８】従来のアキシャルギャップ型回転電機のロータを示す、模式図である。
【符号の説明】
【００３９】
１  回転軸
２  ロータ
３  ステータティース
４  ステータバックコア
５  コイル
６  ステータ
７  軸受
８  ケース
９  外環部
１０  内環部
１１  柱状部
１２  ロータリング
１３  ロータコア
１４  永久磁石
１５  冷却路
１６  エンコーダ
１７  隙間
１８  凹部
【図１】
2006166633.tif 000003
【図２】
2006166633.tif 000004
【図３】
2006166633.tif 000005
【図４】
2006166633.tif 000006
【図５】
2006166633.tif 000007
【図６】
2006166633.tif 000008
【図７】
2006166633.tif 000009
【図８】
2006166633.tif 000010